(57)【要約】【課題】走行機体の一側に配置した予備苗搬送装置に載置した予備苗を他側の苗載せ台に補給するには、作業者は走行機体の座席を跨ぐなどの姿勢などとる必要があり、作業者の負担を多くしていた。【解決手段】移植機の一側には、予備苗搬送装置２０が取付けられている。予備苗搬送装置２０は、後端から１つの苗箱の長さを隔てた位置で、基部ローラコンベヤ３１と取出し部ローラコンベヤ３２とのローラコンベヤ部分に分割されて蝶番３５により連結されている。取出し部ローラコンベヤ３２は走行機体の内方に向けて変位でき、取出し部ローラコンベヤ３２を変位した際には、基部ローラコンベヤ３１に取付けたシャッタ４０が予備苗の搬送を停止し、また取出し部ローラコンベヤ３２と基部ローラコンベヤ３１とを直列状に揃えた際には、基部ローラコンベヤ３１側にある予備苗を取出し部ローラコンベヤ３２に搬送する。【選択図】図４
2008079541.tif 000002
【特許請求の範囲】
【請求項１】
走行機体と、該走行機体の後方に昇降自在に支持された植付装置と、前記走行機体の側方に配置され、該走行機体の前方から後方に向けて苗箱を搬送し得る予備苗搬送装置と、を備えてなる移植機において、
前記予備苗搬送装置の苗取出し部を、前記走行機体の内方に向けて変位自在に連結し、
前記予備苗搬送装置の苗取出し部を変位した状態で、該取出し部の苗箱を、該予備苗搬送装置が配置される前記走行機体の一側と反対側の他側から取出し得るように構成した、
ことを特徴とする移植機。
【請求項２】
前記予備苗搬送装置は、前記苗箱を前記走行機体の前後方向に直列的に複数個載置し得るローラコンベヤであり、
前記取出し部は、最後端の一枚分の前記苗箱を載置し得るローラコンベヤ部分である、
請求項１記載の移植機。
【請求項３】
前記取出し部の前記走行機体の前方側の前記ローラコンベヤの後端部分に、前記取出し部を直列状に揃えた状態では該取出し部に向かって前記苗箱の搬送を許容する解放位置にあり、前記取出し部の変位に伴って、前記苗箱の搬送を規制する停止位置となる規制部材を設けた、
請求項２記載の移植機。
【発明の詳細な説明】
【技術分野】
【０００１】
本発明は、乗用田植機等の移植機に係り、詳しくは予備苗を搬送及び載置する予備苗搬送装置を備えた移植機に関する。
【背景技術】
【０００２】
従来より、乗用田植機等の移植機は、移植機の後部に連結した植付装置により苗の移植を行っている。植付装置の上部には、一定量のマット状の苗を載置できる苗載せ台が設けられており、苗載せ台から供給されるマット苗から一株分の苗を掻き取りながら、苗を田面に移植して苗移植作業が進行する。苗載せ台には、移植作業の進行と共に減ってゆく苗を移植機の側部等に設けた予備苗台、或いは予備苗搬送装置から補給しながら、常に規定量の苗が苗載せ台に載置されている状態で移植作業が行われる。
【０００３】
予備苗台又は予備苗搬送装置に載置した予備苗は、移植機の側部や後部などに設けたステップに立ち上がった作業者により取り上げられて、苗載せ台に補給される。苗載せ台への予備苗の補給を容易にするため、予備苗搬送装置に転動ローラを取付けると共に、予備苗搬送装置の姿勢を移植機に対して前高後低に配置し、予備苗搬送装置の前方にある苗箱を予備苗搬送装置の後方に向けて搬送できるようにした移植機がある（特許文献１）。
【０００４】
特許文献１に記載される予備苗搬送装置は、３つの搬送体に分割されており、中央の搬送体に折畳み自在に前後の搬送体が連結して予備苗搬送装置を構成している。予備苗搬送装置は、それぞれ３つの搬送体を移植機の進行方向に向けて直線状に展開した展開姿勢と、中央の搬送体上に前後の搬送体を折畳んだ格納姿勢とに切換えて使用でき、苗箱の量に応じて適宜の姿勢に切換えて、予備苗を苗載せ台に補給する際の労力を低減している。
【０００５】
また、上記予備苗搬送装置とは別に、予備苗搬送装置と苗載せ台との間で移植機の横方向に向かう横送コンベヤを設けた移植機がある（特許文献２）。横送コンベヤは、移植機の後部に、苗載せ台の横幅と略同一に配置されており、移植機の一側に配設した予備苗搬送装置から横送コンベヤに予備苗を供給すると共に、横送コンベヤに供給された予備苗は移植機の他側に搬送されて、苗載せ台への苗の補給作業を容易にしている。
【０００６】
【特許文献１】特開２００６−１０９７７３号公報
【特許文献２】特許第２９４３３７０号公報
【発明の開示】
【発明が解決しようとする課題】
【０００７】
上記特許文献１に記載される予備苗搬送装置は、移植機の後部ステップに立ち上がった作業者が、展開姿勢にある予備苗搬送装置から予備苗を取出し、取出した予備苗を予備苗搬送装置の近傍にある苗載せ台に補給する。しかし、予備苗搬送装置は移植機の一側に配置されており、予備苗を予備苗搬送装置が配置されていない他側の苗載せ台に補給する際には、作業者は移植機の略中央に配置した座席を跨いだ姿勢で、他側の苗載せ台まで移動しなければならず、作業者の負担を増加させる場合があった。なお、予備苗搬送装置が機体の両側に配置されていても、一側の予備苗搬送装置の予備苗を苗載せ台に移載した後、他側の予備苗搬送装置から苗載せ台に予備苗を移載するには、同様に作業者は、他側側のステップに移動する必要があり、面倒であった。
【０００８】
また、特許文献２に記載される予備苗搬送装置は、予備苗を移植機の一側に取付けた予備苗搬送装置から他側の苗載せ台へ搬送するには、横送コンベヤを用いて容易に搬送できるが、横送コンベヤを取付けたことによる移植機の重量増加、及びコストアップを招いてしまう。
【０００９】
そこで、本発明は、予備苗搬送装置に設けた苗取出し部を、走行機体の内方に向けて変位できるようにし、もって上記した課題を解決した移植機を提供することを目的とする。
【課題を解決するための手段】
【００１０】
前記目的を達成するため、請求項１に係る本発明は、走行機体（１）と、該走行機体の後方に昇降自在に支持された植付装置（２）と、前記走行機体（１）の側方に配置され、該走行機体の前方から後方に向けて苗箱を搬送し得る予備苗搬送装置（２０）と、を備えてなる移植機において、
前記予備苗搬送装置（２０）の苗取出し部（３２）を、前記走行機体（１）の内方に向けて変位自在に連結し、
前記予備苗搬送装置（２０）の苗取出し部（３２）を変位した状態で、該取出し部（３２）の苗箱を、該予備苗搬送装置（２０）が配置される前記走行機体（１）の一側と反対側の他側から取出し得るように構成した、
ことを特徴とする移植機にある。
【００１１】
請求項２に係る本発明は、前記予備苗搬送装置（２０）は、前記苗箱を前記走行機体（１）の前後方向に直列的に複数個載置し得るローラコンベヤであり、
前記取出し部（３２）は、最後端の一枚分の前記苗箱を載置し得るローラコンベヤ部分である、
請求項１記載の移植機にある。
【００１２】
請求項３に係る本発明は、前記取出し部（３２）の前記走行機体（１）の前方側の前記ローラコンベヤ（３１）の後端部分に、前記取出し部（３２）を直列状に揃えた状態では該取出し部に向かって前記苗箱の搬送を許容する解放位置にあり、前記取出し部（３２）の変位に伴って、前記苗箱の搬送を規制する停止位置となる規制部材（４０）を設けた、
請求項２記載の移植機にある。
【００１３】
なお、前記した括弧内の符号等は、図面を参照するためのものであって、本発明を何ら限定するものではない。
【発明の効果】
【００１４】
請求項１に係る本発明によると、走行機体の側方に、苗取出し部を走行機体の内方に向けて変位できる予備苗搬送装置を備えたので、作業者は予備苗搬送装置が配置される走行機体の一側と反対側の他側に変位して、変位した状態にある苗取出し部から苗箱を取出すことができ、苗載せ台への苗の補給作業を容易にして作業者の負担を低減できる。
【００１５】
請求項２に係る本発明によると、予備苗搬送装置は、苗箱を走行機体の前後方向に直列的に複数個載置し得るローラコンベヤなので、走行機体の前方から供給した苗箱を走行機体の後方に向けて搬送できる。また、予備苗搬送装置の後方にある苗取出し部はローラコンベヤ部分なので、簡単な構造で足りる。
【００１６】
請求項３に係る本発明によると、取出し部の前方側のローラコンベヤの後端部分に、取出し部を直列状に揃えた際には解放位置にし、取出し部を変位させた際には停止位置に切換える規制部材を設けたので、取出し部を変位して苗箱を取出している間に、規制部材は停止位置にあって、前方側のローラコンベヤから苗箱が落下したり、中途半端に取出し部に送られることがなく、かつ取出し部を前方側と直列状に揃えた状態では、規制部材は解放されて、苗箱が前方側から取出し部に送られ、取出し部の位置操作により連続して取出し部から苗箱を取出すことができる。
【発明を実施するための最良の形態】
【００１７】
以下、図面に基づき本発明の実施の形態を説明する。乗用田植機等の移植機は、図１から図３に示すように、走行機体１と、該走行機体１に昇降リンク機構１４を介して連結された植付装置２と、予備苗を載置及び搬送する予備苗搬送装置２０とを備えている。
【００１８】
走行機体１は、前輪１１Ｆと後輪１１Ｒにより支持された機体を有し、該機体の前方には、ボンネット５に覆われたエンジンが搭載されている。ボンネット５の左右側方は、作業者が移動して作業できるフロントステップ６，６が張出していると共に、ボンネット５の後方には、走行機体１及び植付装置２を操作する運転部７が配置されている。運転部７の前方には、走行機体１を操舵するステアリングハンドルが立設しており、また、運転部７の床面は、フロントステップ６から繋がるステップ９によって覆われている。さらに、運転部７には作業者が着座する座席１０が取付けられていると共に、座席１０の下方は機体カバー１２により覆われている。機体カバー１２の後方の左右両側には、前記ステップ９より一段高く、且つ平坦に形成された苗供給用ステップ１３，１３が設けてある。
【００１９】
昇降リンク機構１４は、走行機体１の後部に揺動自在に連結されたアッパリンク１４ａ及びロアリンク１４ｂと、これらアッパリンク１４ａ及びロアリンク１４ｂの後端に接続されたリンクホルダ１４ｃと、機体１とロアリンク１４ｂとの間に配置された油圧シリンダ１４ｄとを有している。そして、油圧シリンダ１４ｄの作動により、リンクホルダ１４ｃが上下方向に揺動して植付装置２の姿勢を制御できる。
【００２０】
植付装置２は、上部にマット状の苗を載置する苗載せ台３が移動自在に取付けられていると共に、植付装置２の下部には、苗載せ台３に載置したマット苗から１株分の苗を掻き取って田面に植付けるプランタ２ａと、苗の植付け深さを調節する植付け深さ調節装置２ｂとが取り付けられている。
【００２１】
走行機体１の右側部でフロントステップ６の外側には、苗載せ台３に補給する予備苗を載置する予備苗台１６が上下方向に重ねられて配置されており、また走行機体１の左側部でフロントステップ６の外側には、予備苗を搬送及び載置する予備苗搬送装置２０が取り付けられている。予備苗搬送装置２０は、走行機体１の左側部から延出した取付けステー１５を介して固定された中央コンベヤ２２と、中央コンベヤ２２の前方に連結され、且つ中央コンベヤ２２の上部に重ねることができる前方コンベヤ２４と、中央コンベヤ２２の後方に連結されて、且つ中央コンベヤ２２の上部に重ねることができる後方コンベヤ３０とを有している。
【００２２】
予備苗搬送装置２０は、図１及び図２に示すように、後方コンベヤ３０を中央コンベヤ２２の上部に重ねると共に、前方コンベヤ２４を中央コンベヤ２２の上部に重ねた格納姿勢と、図３に示すように、中央コンベヤ２２、前方コンベヤ２４及び後方コンベヤ３０が側面視で一直線状に展開された展開姿勢と、に折畳み自在になっている。この場合に、展開姿勢にある予備苗搬送装置２０の上面は、苗箱を搬送する転動面になっており、格納姿勢にある前方コンベヤ２４及び後方コンベヤ３０の上面、すなわち展開姿勢にあった前方コンベヤ２４及び後方コンベヤ３０の転動面に対する裏面側は、苗箱を搭載する載置面となっている。
【００２３】
展開姿勢にある予備苗搬送装置２０は、走行機体１の進行方向に対して前高後低の傾斜姿勢になっており、前方コンベヤ２４の前端は、畦際から予備苗を供給し易い高さに配置されており、また後方コンベヤ３０の後端は、苗供給用ステップ１３の上方で苗載せ台３に近接するように配置されている。
【００２４】
中央コンベヤ２２と前方コンベヤ２４とは、一組のブラケットを介して連結されている。一組のブラケットは、図１及び図３に示すように、中央コンベヤ２２の前端２２ａに固設した中央コンベヤ前端取付ブラケット２２ｂと、前方コンベヤ２４の後端２４ａに固設した前方コンベヤ後端取付ブラケット２４ｂとにより構成されている。中央コンベヤ前端取付ブラケット２２ｂ及び前方コンベヤ後端取付ブラケット２４ｂは、上部に取付けたピンにより結合されており、前方コンベヤ２４を回転させて中央コンベヤ２２の上部に重ねることができる。この場合に、前方コンベヤ後端取付ブラケット２４ｂの側面には、中央コンベヤ前端取付ブラケット２２ｂの上端２２ｃと当接して前方コンベヤ２４の折畳み位置を規制するストッパピン２４ｃが突設している。
【００２５】
同様に、中央コンベヤ２２と後方コンベヤ３０とは、一組のブラケットを介して連結されている。一組のブラケットは、中央コンベヤ２２の後端２２ｃに固設した中央コンベヤ後端取付ブラケット２２ｄと、後方コンベヤ３０の前端３０ａに固設した後方コンベヤ前端取付ブラケット３０ｂとにより構成されている。中央コンベヤ後端取付ブラケット２２ｄ及び後方コンベヤ前端取付ブラケット３０ｂは、上部に取付けたピンにより結合されており、後方コンベヤ３０を回転させて中央コンベヤ２２の上部に重ねることができる。
【００２６】
中央コンベヤ２２は、図４に示すとおり、左右一対のフレーム２５，２５を複数の連結部材２６により連結すると共に、フレーム２５，２５の間に複数の転動ローラ２７が取付けられており、中央コンベヤ２２に載置した苗箱を搬送するローラコンベヤになっている。
【００２７】
左右一対のフレーム２５，２５は、共に同一の形状を有する長尺部材であり、フレーム２５，２５の側面には連結部材２６及び転動ローラ２７を固定するための複数の孔が穿孔されている。フレーム２５，２５の前後端部及び中央部付近に穿孔した孔には、連結部材２６に穿孔した孔と位置を合わせて取り付け用のボルトが挿通しており、フレーム２５，２５どうしをボルト締結している。また、フレーム２５，２５に穿孔した他の孔には、転動ローラ２７の回転軸が挿通されて、転動ローラ２７を回転自在に支持している。なお、フレーム２５，２５に支持された転動ローラ２７どうしは、転動ローラ２７上に載置した苗箱の少なくとも２箇所と当接できる距離を隔てて配置されている。この場合に、フレーム２５，２５に転動ローラ２７を配置して苗箱を搬送する他に、フレーム２５，２５の前後端に回転軸を設けると共に、中間位置に支持軸を設け、回転軸どうしにベルトを掛け回したベルトコンベヤを配置したり、フレーム２５，２５の間にレールを配置して苗箱を搬送することもできる。
【００２８】
また、前方コンベヤ２４も、中央コンベヤ２２と略同一の部材により構成されており、左右一対のフレーム２４ｄ，２４ｄを複数の連結部材２４ｅにより連結していると共に、フレーム２４ｄ，２４ｄの間に複数の転動ローラ２４ｆが取付けられて、苗箱を搬送するローラコンベヤになっている（図２参照）。
【００２９】
次いで、後方コンベヤ３０は、図４に示すとおり、上述した中央コンベヤ２２及び前方コンベヤ２４と同様に、フレームどうしが連結部材により連結されていると共に、フレーム間には複数の転動ローラが取付けられている。後方コンベヤ３０は、中央コンベヤ２２の後端に連結されて、後方コンベヤ３０の後端から１つの苗箱の長さを隔てた位置にて、基部ローラコンベヤ３１と取出し部ローラコンベヤ（取出し部）３２の２つのローラコンベヤに分割されている。分割された取出し部ローラコンベヤ３２は、基部ローラコンベヤ（前方側のコンベヤ）３１の後端部に対して平面視で反時計回り方向、即ち、走行機体１の左側部に取付けられた取出し部ローラコンベヤ３２を走行機体１の内方に向けて変位自在となっている。
【００３０】
基部ローラコンベヤ３１のフレームで走行機体１の内方側に位置する基部ローラコンベヤフレーム３１ａと、同じく取出し部ローラコンベヤ３２のフレームで走行機体１の内方側に位置するの取出し部ローラコンベヤフレーム３２ａとは、蝶番３５により連結されている。また、基部ローラコンベヤフレーム３１ａの後端には、基部ローラコンベヤステー３１ｃが立設していると共に、取出し部ローラコンベヤフレーム３２ａの前端には、取出し部ローラコンベヤステー３２ｃが立設しており、基部ローラコンベヤステー３１ｃと取出し部ローラコンベヤステー３２ｃとの間にはコイルスプリング３６が張設されている。
【００３１】
コイルスプリング３６は、蝶番３５の上方に配置して、蝶番３５により連結した基部ローラコンベヤフレーム３１ａと取出し部ローラコンベヤフレーム３２ａとを、平面視で直線状（思案点）を越えた状態で付勢すると共に（図４中の実線）、蝶番３５を回転中心にして、取出し部ローラコンベヤフレーム３２ａを変位させた際に、取出し部ローラコンベヤ３２を走行機体１の内方の所定の位置方向に付勢している（図４中の仮想線）。この場合に、蝶番３５には、所定の角度以上に回転を規制するストッパ機構が設けられており、コイルスプリング３６は、取出し部ローラコンベヤ３２を基部ローラコンベヤ３１に対して直列状に揃える位置と、機体内方に変位した位置とに安定する２位置安定機構を構成する。
【００３２】
一方、取出し部ローラコンベヤ３２のフレームで走行機体１の外方側に位置するの取出し部ローラコンベヤフレーム３２ｂの前端には、Ｌ字状に形成された押圧部材３７が固設しており、基部ローラコンベヤ３１と取出し部ローラコンベヤ３２とを直線状に配置した際に、押圧部材３７が基部ローラコンベヤ３１のフレームで走行機体１の外方側に位置する基部ローラコンベヤフレーム３１ｂの内側に挿入できるようになっている。
【００３３】
さらに、基部ローラコンベヤ３１の後端には、取出し部ローラコンベヤ３２に搬送される苗箱を規制するシャッタ（規制部材）４０が設けられている。シャッタ４０は、基部ローラコンベヤフレーム３１ａと基部ローラコンベヤフレーム３１ｂとの間に収容された一枚の板状部材で、略中央部が鈍角に折曲されている（図４及び図５参照）。図５及び図６に示すように、折曲された部位には管状部材が固定されており、基部ローラコンベヤフレーム３１ａ及び基部ローラコンベヤフレーム３１ｂの後端部に穿孔した孔に挿通した軸４２が、管状部材に挿入されることによって、シャッタ４０を軸４２を中心にして回転できる。また、シャッタ４０には、軸４２に巻き回し、かつ一端を基部ローラコンベヤ３１に当接させると共に、他端をシャッタ４０に当接させた付勢バネが取付られており、付勢バネにより、シャッタ４０の一端側４０ａが基部ローラコンベヤ３１の転動面に延出するように付勢されている（図６参照）。
【００３４】
シャッタ４０の他端側４０ｂは、前記押圧部材３７と当接する位置に配置されており、基部ローラコンベヤ３１と取出し部ローラコンベヤ３２とを直線状に配置した際に、押圧部材３７が他端側４０ｂを押圧して、転動面側に延出する方向に付勢された一端側４０ａを、転動面と略平行する向きになるようにシャッタ４０を回転させる。なお、シャッタ４０を設ける以外に、取出し部コンベヤ３２の変位に連動して基部ローラコンベヤ３１の転動ローラの回転を停止させることにより苗箱の搬送を規制することもできる。
【００３５】
ついで、以上の構成による予備苗搬送装置２０を備えた移植機の動作について説明する。
【００３６】
圃場では、移植機より動力を受けて稼動する植付装置２により、苗載せ台３に載置したマット苗から一株分の苗を田面に移植して作業が進行する。苗の移植作業の進行に伴い、苗載せ台３に載せた苗が田面に移植されてゆくと、苗載せ台３に載置した苗が減少して規定量以下になるので、予め予備苗台１６又は予備苗搬送装置２０に載置した予備苗を取出して苗載せ台３に補給する。予備苗台１６又は予備苗搬送装置２０から苗載せ台３への苗補給を繰返すと、やがて予備苗台１６又は予備苗搬送装置２０上の予備苗が少なくなり、移植機を畦際まで自走させて待機するトラック等から予備苗の供給を受ける。トラック等から予備苗の供給を受ける際には、予備苗搬送装置２０の前端を畦に向けて、予備苗搬送装置２０の前方、すなわち前方コンベヤ２４の前端から苗箱と共に予備苗の供給を受ける。
【００３７】
予備苗搬送装置２０は、前高後低の傾斜姿勢に配置されているので、前端に供給した苗箱は転動ローラ２７上を滑りながら中央コンベヤ２２及び後方コンベヤ３０へと流下してゆき、後方コンベヤ３０の取出し部ローラコンベヤ３２に到達する。取出し部ローラコンベヤ３２に到達した苗箱は、取出し部ローラコンベヤ３２の後端に設けたストッパ部材などにより停止し、取出し部ローラコンベヤ３２上に１つの苗箱が載置される。さらに予備苗搬送装置２０の前方から供給された苗箱は、取出し部ローラコンベヤ３２上の苗箱に直列的に載置されてゆく。
【００３８】
苗載せ台３及び予備苗搬送装置２０に苗を搭載した状態で移植作業を再開すると、上記と同様に苗載せ台３の苗が減少してゆき、予備苗搬送装置２０に載置した苗箱から予備苗を取出して苗載せ台３に補給する。
【００３９】
本実施の形態では、移植機の左方側に予備苗搬送装置２０が配置しているので、苗載せ台３の左方部分に苗を補給する際には、左側の苗供給用ステップ１３に立ち上がった作業者により、取出し部ローラコンベヤ３２上の予備苗を取り出して、取出し部ローラコンベヤ３２の近傍にある苗載せ台３の左方部分に容易に補給できる。また、予備苗搬送装置２０は直列状に配置されており、作業者は走行機体１の前方にあるフロントステップ６から後方にある苗供給用ステップ１３まで自由に移動でき、例えば予備苗台１６に載置した予備苗を苗載せ台３の左方部分に補給することもできる。
【００４０】
一方、苗載せ台３の右方部分に苗を補給する場合には、作業者は右側の苗供給用ステップ１３に移動すると共に、取出し部ローラコンベヤ３２を走行機体１の内方に向けて変位させ、変位した取出し部ローラコンベヤ３２から予備苗を取り出して、苗載せ台３の右方部分に補給する。
【００４１】
取出し部ローラコンベヤ３２を変位するには、取出し部ローラコンベヤ３２の後端部分などを掴持して走行機体１の内方に向けて引寄せる。すると、取出し部ローラコンベヤ３２は、蝶番３５を軸にして、基部ローラコンベヤ３１と直線状になる方向に付勢しているコイルスプリング３６の付勢力に抗して回動する。この場合に、コイルスプリング３６は、取出し部ローラコンベヤ３２と基部ローラコンベヤ３１との直線状態が解除された際に、取出し部ローラコンベヤ３２を走行機体１の内方の所定の位置に向けて付勢するので、取出し部ローラコンベヤ３２を苗載せ台３の右方部分に近づけた位置に移動させる。取出し部ローラコンベヤ３２を変位させた際には、取出し部ローラコンベヤ３２は座席１０の直近に位置して、苗載せ台３の右方部分への苗補給を容易にしている。この場合に、作業者は、両側の苗供給用ステップ１３，１３に移動できるので、苗載せ台３の左右いずれの部分へも苗を補給できる。
【００４２】
また、取出し部ローラコンベヤ３２が変位した際には、ローラコンベヤフレーム３２ｂの前端に固設した押圧部材３７が、シャッタ４０の押圧を解除するので、付勢バネの付勢によって基部ローラコンベヤ３１の転動面と略平行する向きの解放位置にあったシャッタ４０は、一端側４０ａを転動面側に延出して苗箱の搬送を規制する停止位置側に回転する。シャッタ４０が停止位置側に回転した際には、転動面側に延出した一端側４０ａにより、苗箱は基部ローラコンベヤ３１の後端で停止し、基部ローラコンベヤ３１上の苗箱を落下させることがなくなる。
【００４３】
一方、苗載せ台３の右方部分に近づけた位置にある取出し部ローラコンベヤ３２は、予備苗を取り出して苗載せ台３の右方部分へ補給した後に、再び基部ローラコンベヤ３１と直線状になるように押し戻す。取出し部ローラコンベヤ３２を押し戻す際には、押圧部材３７がシャッタ４０の他端側４０ｂを押圧して、停止位置にある一端側４０ａを解放位置に回転させる。シャッタ４０の解放位置への回転により、基部ローラコンベヤ３１上の苗箱は取出し部ローラコンベヤ３２上に搬送されて、次の予備苗の補給に備えることができる。
【００４４】
以上のように、走行機体１の一側方に取出し部ローラコンベヤ３２を走行機体１の内方に向けて変位できる予備苗搬送装置２０を備えたので、取出し部ローラコンベヤ３２を変位した状態で、取出し部ローラコンベヤ３２上の苗箱を、走行機体１の他側から取出すことができ、苗載せ台３への苗の補給作業を容易にして作業者の負担を低減できる。また、取出し部ローラコンベヤ３２は、一枚分の苗箱が載置された軽量な状態で変位するので、取出し部ローラコンベヤ３２を基部ローラコンベヤ３１に連結する蝶番３５など取出し部ローラコンベヤ３２を変位させる構造を簡単に構成できる。さらに、基部ローラコンベヤ３１には、取出し部ローラコンベヤ３２の変位に連動して位置が切換えられるシャッタ４０を取り付けたので、取出し部ローラコンベヤ３２を変位した位置から元に戻す操作のみで、取出し部ローラコンベヤ３２上に予備苗を搬送できる。
【００４５】
なお、以上に説明した予備苗搬送装置２０は、走行機体１の左側に設ける他に、蝶番３５及びコイルスプリング３６を基部ローラコンベヤフレーム３１ｂ及び取出し部ローラコンベヤフレーム３２ｂに配置すれば、走行機体１の右側に設けることもできる。また、予備苗搬送装置２０を走行機体１の左側又は右側に設ける他に、走行機体１の両側に設けることもできる。取出し部は、予備苗搬送装置の後端側の苗箱１個分としたが、これに限定するものではなく、複数個の苗箱を載置し得る部分としてもよく、更には予備苗搬送装置全体を変位し得るようにしてもよい。
【図面の簡単な説明】
【００４６】
【図１】格納姿勢にある予備苗搬送装置を取付けた移植機の側面図である。
【図２】格納姿勢にある予備苗搬送装置を取付けた移植機の平面図である。
【図３】展開姿勢にある予備苗搬送装置を取付けた移植機の側面図である。
【図４】予備苗搬送装置を構成する中央コンベヤ及び後方コンベヤ部分を拡大して示す平面図である。
【図５】後方コンベヤを拡大して示す側面図である。
【図６】後方コンベヤの基部ローラコンベヤ後端を拡大して示す側面図である。
【符号の説明】
【００４７】
１    走行機体
２    植付装置
２０  予備苗搬送装置
３１  前方側のローラコンベヤ（基部ローラコンベヤ）
３２  苗取出し部（取出し部ローラコンベヤ）
４０  規制部材（シャッタ）
【図１】
2008079541.tif 000003
【図２】
2008079541.tif 000004
【図３】
2008079541.tif 000005
【図４】
2008079541.tif 000006
【図５】
2008079541.tif 000007
【図６】
2008079541.tif 000008